(57)【要約】      （修正有）【課題】チューブ閉塞部材の併設により、万が一、誤って係合部が緩んだりしても、チューブの閉塞状態が保持できるのでより安全であるクランプ及び医療用具を提供すること。【解決手段】底部２から延設部２２を延設して、当該延設部から屈曲部８ａ、８ｂに沿って立ち上がるように、または上部から延設部２２を延設して、当該延設部２２から屈曲部８ａ、８ｂに沿って垂下するように、または屈曲部の右もしくは左壁から屈曲部の右もしくは側部に延びるように、チューブ閉塞部材２０を一体成形したクランプ１。【選択図】図１
0003113762.tif 000002
【実用新案登録請求の範囲】
【請求項１】
底部（２、３２）の後方から立ち上がる屈曲部（８ａ）に封止部材（３、３３）を延設し、
底部（２、３２）の前方から立ち上がる屈曲部（８ｂ）に係止部（６、３６）を延設し、
封止部材（３、３３）の先端部に係合突部（４、３４）を形成し、当該係合突部（４、３４）の先端に、第１係合突部（５ａ、３５ａ）を形成し、係止部（６、３６）の先端に第１係合突部（５ａ、３５ａ）が係合できる第１係合溝（５ｂ、３５ｂ）を形成し、
封止部材（３、３３）に、底部（２）側に向けて挟持部（７、３７）を突設し、底部（２、３２）に封止部材（３）側に向けて前記挟持部（７、３７）と対向する位置に挟持部（９、３９）を突設し、
（Ａ）底部（２、３２）から延設部（２２）を延設して、当該延設部（２２）から屈曲部（８ａ、３８ａ）に沿って立ち上がるように、または（Ｂ）上部（１２、４２）から延設部（２２）を延設して、当該延設部（２２）から屈曲部（８ａ、３８ａ）に沿って垂下するように、または（Ｃ）屈曲部（８ａ、３８ａ）の右もしくは左壁から屈曲部（８ａ、３８ａ）の右もしくは側部に延びるように、チューブ閉塞部材（２０）を一体成形したことを特徴するクランプ（１、３１）。
【請求項２】
前記チューブ閉塞部材（２０）は、板状に形成され、上部に開口部（２４）を形成したストッパ（２５）を形成し、略中央部には上部から下部にわたる切込溝（２１）を形成した、ことを特徴する請求項１ないし請求項２に記載のクランプ（１、３１）。
【請求項３】
係止部（６、３６）に第２係合突部（６ａ、３６ａ）を形成し、係合突部（４、３４）に、前記第２係合突部（６ａ、３６ａ）に係合できる第２係合溝（６ｂ、３６ｂ）を形成したことを特徴する請求項１ないし請求項２に記載のクランプ（１、３１）。
【請求項４】
前記二つの挟持部（７、３７）と挟持部（９、３９）の対向する先端部を、凸部（７ａ、３７ａ）と凹部（９ｂ、３９ｂ）に形成した、ことを特徴する請求項１ないし請求項３に記載のクランプ（１、３１）。
【請求項５】
請求項１ないし請求項４に記載のクランプ（１、３１）をチューブ（Ｔ）の途中に装着したことを特徴とする医療用具。
【考案の詳細な説明】
【技術分野】
【０００１】
本考案は、クランプ及びクランプを装着した透析用血液回路や高カロリー輸液バッグ、輸液セット等の医療用具の改良に関する。
【背景技術】
【０００２】
透析用血液回路や高カロリー輸液バッグ、輸液セット等を構成するチューブに装着するクランプを、より確実で強固に閉塞する方法として、特許文献１に記載されたような発明が開示されている。
【０００３】
例えば、特許文献１に記載のクランプは、同文献の図１２、１３に記載のクランプのように、クランプ装置とクレンメを併用した場合、可撓性チューブをクランプするための手段が増加することになり、これらの管理が面倒になることを解決している。第一凸部４及び第二凸部５によるクランプ（本考案の挟持部７、９に相当）部位で液体の流れが遮断されるのに加え、切欠１０による係止部位においても液体の流れが遮断できるようにしてある。
【０００４】
しかしながら特許文献１に記載されたクランプでは、第一凸部４及び第二凸部５でクランプされ、挿通孔８に挿通された可撓性チューブを切欠１０に嵌入すると、可撓性チューブが挿通孔から形成された切欠の係合部の方向へ極端に曲がるので、再び流液などを行う際、クランプから外したチューブの折れ曲がりがすぐに元に戻らず、チューブ内の液体の流れが悪くなったり、チューブが絡んで使い勝手が悪く、思わぬ事故にもつながりかねないという懸念がある。
【特許文献１】特開２００３−３３９８６２号公報（［請求項１］、図７、図９参照）
【考案の開示】
【考案が解決しようとする課題】
【０００５】
解決しようとする問題点は、クランプ部位（本考案の挟持部７、９に相当）で液体の流れが遮断されるのに加え、他の係止部位においても液体の流れを遮断できるものの、チューブが挿通孔から形成された切欠の係合方向へ極端に曲がり、チューブが絡んだりチューブが折れ曲がったりして使い勝手が悪くなる点である。
【課題を解決するための手段】
【０００６】
［１］本発明は、底部（２、３２）の後方から立ち上がる屈曲部（８ａ）に封止部材（３、３３）を延設し、
底部（２、３２）の前方から立ち上がる屈曲部（８ｂ）に係止部（６、３６）を延設し、
封止部材（３、３３）の先端部に係合突部（４、３４）を形成し、当該係合突部（４、３４）の先端に、第１係合突部（５ａ、３５ａ）を形成し、係止部（６、３６）の先端に第１係合突部（５ａ、３５ａ）が係合できる第１係合溝（５ｂ、３５ｂ）を形成し、
封止部材（３、３３）に、底部（２）側に向けて挟持部（７、３７）を突設し、底部（２、３２）に封止部材（３）側に向けて前記挟持部（７、３７）と対向する位置に挟持部（９、３９）を突設し、
（Ａ）底部（２、３２）から延設部（２２）を延設して、当該延設部（２２）から屈曲部（８ａ、３８ａ）に沿って立ち上がるように、または（Ｂ）上部（１２、４２）から延設部（２２）を延設して、当該延設部（２２）から屈曲部（８ａ、３８ａ）に沿って垂下するように、または（Ｃ）屈曲部（８ａ、３８ａ）の右もしくは左壁から屈曲部（８ａ、３８ａ）の右もしくは側部に延びるように、チューブ閉塞部材（２０）を一体成形したクランプ（１、３１）を提供する。
［２］本発明は、前記チューブ閉塞部材（２０）は、板状に形成され、上部に開口部（２４）を形成したストッパ（２５）を形成し、略中央部には上部から下部にわたる切込溝（２１）を形成した、［１］ないし［２］に記載のクランプ（１、３１）を提供する。
［３］本発明は、係止部（６、３６）に第２係合突部（６ａ、３６ａ）を形成し、係合突部（４、３４）に、前記第２係合突部（６ａ、３６ａ）に係合できる第２係合溝（６ｂ、３６ｂ）を形成した［１］ないし［２］に記載のクランプ（１、３１）を提供する。
［４］本発明は、前記二つの挟持部（７、３７）と挟持部（９、３９）の対向する先端部を、凸部（７ａ、３７ａ）と凹部（９ｂ、３９ｂ）に形成した、［１］ないし［３］に記載のクランプ（１、３１）を提供する。
［５］本発明は、［１］ないし［４］に記載のクランプ（１、３１）をチューブ（Ｔ）の途中に装着した医療用具を提供する。
【考案の効果】
【０００７】
クランプ１は、前記第１係合突部５ａと第１係合溝５ｂをワンタッチで係合することで、挟持部７、９の対向するによりチューブを流れる液体を遮断できるが、チューブ閉塞部材２０を併設しているので、万が一、誤って突起部６ａを押し広げる等により、第１係合突部５ａと第１係合溝５ｂが緩んだりしても、チューブを、チューブ閉塞部材２０の切込溝２１に挟持しておけば、チューブを無理に曲げることなく、閉塞状態が保持できるのでより安全であり、チューブの折れ曲がりが少ないので、あとの作業もスムーズに行える。
【考案を実施するための最良の形態】
【０００８】
図１は、本考案のクランプ１のチューブを挟持する前の状態の正面図、図２は、本考案のクランプ１のチューブを挟持した状態の正面図、図３は、本考案のクランプ１の左側面図である。
【０００９】
本考案のクランプ１は、底部２の後方から立ち上がる屈曲部８ａに封止部材３を延設し、底部２の前方から立ち上がる屈曲部８ｂに係止部６を延設している。
封止部材３、３３の先端部に係合突部４、３４を形成し、当該係合突部４、３４の先端に、第１係合突部５ａ、３５ａを形成し、係止部６、３６の先端に第１係合突部５ａ、３５ａが係合できる第１係合溝５ｂ、３５ｂを形成している。
屈曲部８ａ、８ｂには、チューブを挿通するための開口部１０ａ、１０ｂが設けられている。
クランプ１は、前記第１係合突部５ａと第１係合溝５ｂをワンタッチで係合することで、挟持部７、９の対向する面、さらに詳述すれば、先端部の凸部７ａ、凹部９ａにより、チューブを流れる液体を遮断できる。
【００１０】
［チューブ閉塞部材２０］
クランプ１のチューブ閉塞部材２０は、さらに確実にチューブＴを閉塞するために、一体成形等により挟持部７、９に加えて形成したものである。
すなわち、図４（ａ）から（ｄ）に例示するように、チューブ閉塞部材２０は、（Ａ）底部２、３２から延設部２２を延設して、当該延設部２２から屈曲部８ａ、３８ａに沿って立ち上がるように、または（Ｂ）上部１２、４２から延設部２２を延設して、当該延設部２２から屈曲部８ａ、３８ａに沿って垂下するように、または（Ｃ）屈曲部８ａ、３８ａの右もしくは左壁から屈曲部８ａ、３８ａの右もしくは側部に延びるように、形成することができる。
チューブ閉塞部材２０は、図１、２、４に例示するように、板状に形成され、例えば図４（ａ）に例示するように、上部に開口部２４を形成したストッパ２５を形成し、略中央部には上部から下部にわたる切込溝２１を形成している。切込溝２１の幅は上部が広く下部が狭い略Ｖ字状に形成する。開口部１０ａに挿通したチューブＴを、この切込溝２１の上部から下部に強く挟み込むことにより、チューブの液体流路を簡単容易かつ確実に閉塞することが可能である。
このチューブ閉塞部材２０の切込溝２１にチューブＴを挟み込んでおくことで、挟持部７、９に挟持するだけの場合よりも、さらに安全確実にチューブを閉塞することができる。
例えば、誤って突起部６ａを押し広げるなどして係合部５ａ、５ｂが緩んだりしても、あらかじめこのチューブ閉塞部材２０の切込溝２１にチューブＴを挟み込んでおくことで、閉塞状態がなおも保持できるのである。
【００１１】
なお、ストッパ２５を形成しているので、開口部２４からチューブＴを、挿入するのみでも、保持スペース２３でチューブＴを閉塞しない状態に保つこともできる。
【００１２】
［挟持部７、９及び凸部７ａ、凹部９ａ］
封止部材３に、底部２側に向けて挟持部７を突設し、底部２には封止部材３側に向けて前記挟持部７と対向する位置に挟持部９を突設し、前記二つの挟持部７と挟持部９の対向する先端部を、凸部７ａと凹部９ａに形成する。図１から図３の例示では、挟持部７の先端部が凸部７ａ、挟持部９の先端部が凹部９ａに形成されているが、挟持部７の先端部が凹形状、挟持部９の先端部を凸形状に形成しても良い。
挟持部７、９の凸部７ａと凹部９ａに、チューブＴを固定してからクランプできるので、チューブＴがずれることなく、確実に挟持することができる。
また凸部７ａ及び凹部９ａの形状は、図３に例示するように略半円状が好ましいが、チューブＴを確実に挟持できる形状であれば何でも良く、例えば略矩形状でも良い。
【００１３】
［第２係合突部６ａ（３６ａ）、第２係合溝６ｂ（３６ｂ）］
さらに本考案のクランプ１、３１では、使用者がチューブＴをクランプしているか否かの状態を目視で確認しやすいように、係止部６（３６）に第２係合部６ａ（３６ａ）を形成し、係合突部４（３６）に前記第２係合部６ａ（３６ａ）に係合できる第２係合部６ｂ（３６ｂ）を形成することができる。
図６のように第２係合突部６ａ（６ａ）に第２係合溝６ｂ（３６ｂ）を係合した状態にすることにより、使用者がチューブＴを挟持していない状態を目視により容易に確認することができる。
【００１４】
クランプ１をチューブＴに挿通させたとき、係合突部４と係止部６を開放状態にして、かつ第２係合突部６ａと第２係合溝６ｂを係合させておくことで、クランプ１はチューブから外すことなくチューブ上を自由に移動させることができるので、必要に応じて任意の位置までクランプ１を移動させ、チューブＴをクランプすることもできる。
【００１５】
本考案のクランプを構成する材質は、反発弾性を有する合成樹脂であり、成形が容易なものであればよい。
【００１６】
［クランプ３１］
図７、図８は本考案のクランプ１の他の実施例（クランプ３１）を示す概略図で、図７は本考案のクランプの他の実施例（クランプ３１）における（ａ）チューブＴを挟持する前の左側面図、（ｂ）チューブＴを挟持した状態の左側面図、（ｃ）、正面図（ｄ）上面図、図８は図７のチューブＴを挟持しない状態で第２係合突部と第２係合溝を係合した図である。
［第１係合突部５ａ（３５ａ）］
クランプ１は、第１係合突部５ａは、先細りの凸形状に形成されているので、クランプする場合に第１係合突部５ａ（先細りの凸形状）の天面が第１係合溝５ｂ面に係合される。
一方、クランプ３１は、第１係合突部３５ａは、係合突部４から両側（横、下方、斜め下方の全てを含む）に突設した突部により形成されているので、当該両突部の内壁面が、係止部３６の両壁面に係合する。
すなわち、クランプ１は、第１係合突部５ａの先細りの凸部分を挿通口１０ｂに挟み込ませることでクランプ時の横ずれを防止するのに対し、クランプ３１は、第１係合突部３５ｂの両側に設けられた突部が係止部３６の両壁面を左右から挟み込むことで、クランプ時に、第１係合部３５ａと第１係合溝３６が横にずれて、チューブから外れたりすることを防止している。
クランプ１とクランプ３１は、以上の第１係合突部５ａと第１係合突部３５ａの形状以外は、構造的には同様である。
【図面の簡単な説明】
【００１７】
【図１】本考案のクランプ１のチューブＴを挟持する前の状態の左側面図
【図２】本考案のクランプ１のチューブＴを挟持した状態の左側面図
【図３】本考案のクランプ１のチューブＴを挟持した状態の正面図
【図４】（ａ）本考案のクランプ１のチューブ閉塞部材２０の形態例１、（ｂ）形態例２、（ｃ）形態例３、（ｄ）形態例４を示す概略図
【図５】本考案のクランプ１の上面図
【図６】本考案のクランプ１のチューブＴを挟持しない状態で第２係合突部６ａと第２係溝６ｂを係合したところの概略図
【図７】本考案のクランプの他の実施例における（ａ）チューブＴを挟持する前の左側面図、（ｂ）チューブＴを挟持した状態の左側面図、（ｃ）、正面図（ｄ）上面図
【図８】図７のチューブＴを挟持しない状態で第２係合突部３６ａと第２係合溝３６ｂを係合したところの概略図
【符号の説明】
【００１８】
１、３１  クランプ
２、３２  底部
３、３３  封止部材
４、３４  係合突部
５ａ、３５ａ  第１係合突部
５ｂ、３５ｂ  第１係合溝
６、３６  係止部
６ａ、３６ａ  第２係合突部
６ｂ、３６ｂ  第２係合溝
７、３７  挟持部
７ａ、３７ａ  凸部
８ａ、８ｂ、３８ａ、３８ｂ  屈曲部
９、３９  挟持部
９ａ、３９ａ  凹部
１０ａ、１０ｂ、３０ａ、３０ｂ  挿通口
１２、４２  上部
２０  チューブ閉塞部材
２１  切込溝
２２  後方延設部
２３  保持スペース
２４  開口部
２５  ストッパ
Ｔ  チューブ
【図３】
0003113762.tif 000003
【図４】
0003113762.tif 000004
【図５】
0003113762.tif 000005
【図６】
0003113762.tif 000006
【図７】
0003113762.tif 000007
【図８】
0003113762.tif 000008
【図１】
0003113762.tif 000009
【図２】
0003113762.tif 000010
【手続補正書】
【提出日】平成17年5月25日(2005.5.25)
【手続補正１】
【補正対象書類名】実用新案登録請求の範囲
【補正対象項目名】請求項２
【補正方法】変更
【補正の内容】
【請求項２】
前記チューブ閉塞部材（２０）は、板状に形成され、上部に開口部（２４）を形成したストッパ（２５）を形成し、略中央部には上部から下部にわたる切込溝（２１）を形成した、ことを特徴する請求項１に記載のクランプ（１、３１）。
【手続補正２】
【補正対象書類名】明細書
【補正対象項目名】０００６
【補正方法】変更
【補正の内容】
【０００６】
［１］本発明は、底部（２、３２）の後方から立ち上がる屈曲部（８ａ）に封止部材（３、３３）を延設し、
底部（２、３２）の前方から立ち上がる屈曲部（８ｂ）に係止部（６、３６）を延設し、
封止部材（３、３３）の先端部に係合突部（４、３４）を形成し、当該係合突部（４、３４）の先端に、第１係合突部（５ａ、３５ａ）を形成し、係止部（６、３６）の先端に第１係合突部（５ａ、３５ａ）が係合できる第１係合溝（５ｂ、３５ｂ）を形成し、
封止部材（３、３３）に、底部（２）側に向けて挟持部（７、３７）を突設し、底部（２、３２）に封止部材（３）側に向けて前記挟持部（７、３７）と対向する位置に挟持部（９、３９）を突設し、
（Ａ）底部（２、３２）から延設部（２２）を延設して、当該延設部（２２）から屈曲部（８ａ、３８ａ）に沿って立ち上がるように、または（Ｂ）上部（１２、４２）から延設部（２２）を延設して、当該延設部（２２）から屈曲部（８ａ、３８ａ）に沿って垂下するように、または（Ｃ）屈曲部（８ａ、３８ａ）の右もしくは左壁から屈曲部（８ａ、３８ａ）の右もしくは側部に延びるように、チューブ閉塞部材（２０）を一体成形したクランプ（１、３１）を提供する。
［２］本発明は、前記チューブ閉塞部材（２０）は、板状に形成され、上部に開口部（２４）を形成したストッパ（２５）を形成し、略中央部には上部から下部にわたる切込溝（２１）を形成した、［１］に記載のクランプ（１、３１）を提供する。
［３］本発明は、係止部（６、３６）に第２係合突部（６ａ、３６ａ）を形成し、係合突部（４、３４）に、前記第２係合突部（６ａ、３６ａ）に係合できる第２係合溝（６ｂ、３６ｂ）を形成した［１］ないし［２］に記載のクランプ（１、３１）を提供する。
［４］本発明は、前記二つの挟持部（７、３７）と挟持部（９、３９）の対向する先端部を、凸部（７ａ、３７ａ）と凹部（９ｂ、３９ｂ）に形成した、［１］ないし［３］に記載のクランプ（１、３１）を提供する。
［５］本発明は、［１］ないし［４］に記載のクランプ（１、３１）をチューブ（Ｔ）の途中に装着した医療用具を提供する。